(57)【要約】 【課題】位置の変更並びに指当て方向の変更ができる指当て部を備えたピンセットを提供する。【解決手段】先端に掴持部１２を備え、開被方向に付勢されている一対の操作脚部１１を備えてなるピンセット本体１において、裏面に装着部（変形可能で適宜な弾性を備えた樹脂材で形成した円形軸部２１）を備えた指当て体２を、操作脚部１１における掴持部１２からの距離が相違する複数の固定位置（装着孔部１３１）を備えた装着受け部（装着孔１３）に、適宜選択装着してなる。【選択図】図１
0003127980.tif 000002
【実用新案登録請求の範囲】
【請求項１】
先端に掴持部を備え、開被方向に付勢されている一対の挟持脚部を備えてなるピンセットにおいて、裏面に装着部を備えた指当て体を、挟持脚部における掴持部からの距離が相違する複数の固定位置を備えた装着受け部に、適宜選択装着してなることを特徴とするピンセット。
【請求項２】
装着受け部が挟持脚部に設けた透孔で形成した装着孔であって、指当て体の装着部が前記装着孔に装着される軸部で形成されている請求項１記載のピンセット。
【請求項３】
装着孔部分を、指当て体の軸部のスライド移動が可能であるストレート長孔に形成した請求項２記載のピンセット
【請求項４】
装着孔を、装着孔部分が適宜間隔で形成されると共に、隣接装着孔部間を幅狭の移動孔部とした瓢箪長孔とし、指当て体の軸部を、前記移動孔部を通過できる構造としてなる請求項３記載のピンセット。
【請求項５】
指当て体の表面側に、指当て用湾曲面を形成し、円形軸部を変形可能で適宜な弾性を備えた樹脂材で形成すると共に、装着孔部を前記円形軸部より小径に形成し、円形軸部の変形で指当て体を当該位置に固定してなる請求項２乃至４記載の何れかのピンセット。
【考案の詳細な説明】
【技術分野】
【０００１】
本考案は、微小部材の掴み具であるピンセットに関するものである。
【背景技術】
【０００２】
ピンセットは周知の通り開被方向に付勢されている操作脚部を備え、操作脚部の基部方側（挟圧部）において、指による挟圧開放で、操作脚部の先部（掴持部）で微小部材の掴持開放を行なうものである。
【０００３】
前記のピンセットにおいて、挟圧部に指当てが付設されている器具が知られている。特許文献１（実開平３−４００６８号公報）には、リング状の指当てが開示されて、特許文献２（特開２００４−４２１４７号公報）には、合成ゴムまたは軟質合成樹脂製で、挟圧部に対応する取付面と、前記取付面の上下の一端側から外側方に延出して挟圧部と直交する面と翼片面を備えた指当てが開示されている。
【０００４】
【特許文献１】実開平３−４００６８号公報。
【特許文献２】特開２００４−４２１４７号公報。
【考案の開示】
【考案が解決しようとする課題】
【０００５】
特許文献１，２に記載されている指当て部は、ピンセットの挟圧部における一定の箇所に設けられている。即ち指による挟圧開放の力の入れ具合、並びに指の開閉程度が自然に定まってしまい、指の位置や方向（挟み部の指し示す方向）を選択することができない。
【０００６】
使用者のくせや、掴持対象物の種類よって、指当て位置を変更したい場合には、指当てを備えていない器具を使用するか、或いは、指当てを外して使用することになる。
【０００７】
そこで本考案は、位置の変更並びに指当て方向の変更ができる指当て部を備えたピンセットを提案したものである。
【課題を解決するための手段】
【０００８】
本考案に係るピンセットは、先端に掴持部を備え、開被方向に付勢されている一対の操作脚部を備えてなるピンセットにおいて、裏面に装着部を備えた指当て体を、操作脚部における掴持部からの距離が相違する複数の固定位置を備えた装着受け部に、適宜選択装着してなることを特徴とするものである。
【０００９】
従って使用者は、指当て体を所望位置の装着受け部に装着固定することで、使用者が最も使い易い位置に指当て体を備えるピンセットを得ることができる。
【００１０】
また本考案は、特に装着受け部を操作脚部に設けた透孔で形成した装着孔とし、前記装着孔がストレート形状の長孔、或いは装着孔部が適宜間隔で形成されると共に隣接装着孔間を幅狭の移動孔部とした瓢箪長孔であって、指当て体の装着部を、前記装着孔部に装着される円形軸部とし、且つ円形軸部が変形可能で適宜な弾性を備えた樹脂材で形成し、前記ストレート長孔の幅を円形軸部より幅狭としたり、瓢箪長孔の装着孔部を小径に形成してなるものである。
【００１１】
而して指当て体の軸部を装着孔部に圧入すると、軸部の変形によって当該位置に指当て体が固定（強い力を加えないと移動しない程度）される。従って装着すべき装着孔部の選択で、指当て体のピンセット先端部からの距離を設定でき、また装着孔部に軸部を挿入し、適宜回転しても回転位置で固定されるので、指当て体の方向を任意に設定することができる。
【考案の効果】
【００１２】
本考案は、上記構成を備えたピンセットで、指当て体の位置並びに装着方向を、装着孔の形成範囲において、任意に選択装着することができ、ピンセット使用者の所望する指当て体を備えたピンセットを提供できたものである。
【考案を実施するための最良の形態】
【００１３】
次に本考案の実施の形態について説明する。図１乃至４は本考案の実施形態（第一実施例）を示したもので、この実施形態のピンセットは、ピンセット本体１と、指当て体２で構成される。
【００１４】
ピンセット本体１は、基本的には従前の器具と同様に、基端で折曲して開被方向に付勢されている一対の操作脚部１１を備え、操作脚部１１の先端には掴持部１２を形成してなる。
【００１５】
前記の操作脚部１１には、脚方向に長い瓢箪長孔形状の装着孔（装着受け部）１３が形成され、装着孔１３は、適宜間隔で形成される装着孔部１３１と、隣接する装着孔部間を連結する幅狭の移動孔部１３２で構成され、前記装着孔部１３１及び移動孔部１３２の形状は後述する指当て体２の円形軸部２１に対応して定められる。
【００１６】
指当て体２は、表面側に使用者の指先が納まる形状とした指当て用湾曲面２２を備え、裏面に装着部となる円形軸部２１を設けたものである。
【００１７】
特に円形軸部２１は、変形可能で適宜な弾性を備え、先端部の外周に抜け止め突起２３を設けてなるものである。
【００１８】
また前記の装着孔部１３１の形状は、円形軸部２１の外径より小径の非円形であって、装着孔部１３１内に円形軸部２１を位置させた場合に変形し、且つ当該変形状態で指当て体２が固定状態（強い力を加えないと移動しない程度）となるようにしたものであり、また移動孔部１３２の形状は、円形軸部２１が変形して通過できる形状としたものである。
【００１９】
而して指当て体２をピンセット本体１の所定箇所に装着して使用するもので、指当て体２の装着は、円形軸部２１を装着孔部１３１に圧入し、抜け止め突起２３が操作脚部１１の裏面に位置する状態に圧入して行なう。
【００２０】
使用に際しては、指当て体２を、円形軸部２１が装着孔１３に挿入したまま装着孔１３内を移動させて、使用者がもっとも使い易い位置の装着孔部１３１に配置し、更に当該装着孔部１３１の位置において、指当て体２を捻ると、指当て用湾曲面２２の向きが使用者の好みに対応できる。
【００２１】
従って前記ピンセットは、使用者の所望の位置及び方向に指当て体２をセットすることができたものである。
【００２２】
図５は本考案の他の実施例（第二実施例）を示したもので、装着孔１３ａを、幅が円形軸部２１より幅狭としたストレート長孔にしたもので、前記第一実施例のように装着孔部１３１の位置に特定されず、無段階位置調整が可能となったものである。
【００２３】
尚本考案は前記実施形態に限定されるものではなく、挟持脚部における掴持部からの距離が相違する複数の固定位置を備えた装着受け部と、前記装着受け部に指当て体の装着部を選択的に装着できるものであれば、装着受け部及び装着部の構造は任意に定めることができるものである。
【図面の簡単な説明】
【００２４】
【図１】本考案の実施形態（第一実施例）の全体斜視図。
【図２】同指当て体の全体斜視図。
【図３】同ピンセット本体に指当て体を装着した状態の正面図。
【図４】同指当て体の円形軸部の装着時の説明図。
【図５】同装着孔の別例（第二実施例）の説明図。
【符号の説明】
【００２５】
１        ピンセット本体
１１      操作脚部
１２      掴持部
１３，１３ａ      装着孔（装着受け部）
１３１    装着孔部
１３２    移動孔部
２        指当て体
２１      円形軸部
２２      指当て用湾曲面
２３      抜け止め突起
【図１】
0003127980.tif 000003
【図２】
0003127980.tif 000004
【図３】
0003127980.tif 000005
【図４】
0003127980.tif 000006
【図５】
0003127980.tif 000007